(57)【要約】患者移送マットレスのための牽引部材は、好ましくは、膨張可能な該マットレスに取り付けられる第１部分と、第１部分に取り付けられる第２部分を含み、第２部分に適用された引っ張り力が上部シート及び底部シートから実質的に等距離にある位置の第１部分に伝達されるようにされる。牽引部材はまた、上部及び底部シート間の側部パネルに沿って延びる第１部分を有するＴ形状であるか、又は、 マットレスに取り付けられてループを形成する両端部を有する第１部分を含み得る。牽引部材は、把持係合を助長する握り部を含み得る。牽引部材は、一組の細長いストラップと、該ストラップの組間の解除可能な取付けのための取付け機構とを含み得る。牽引部材は、連結ラグと、第１及び第２部分間の解除可能な取付けのためのクリップ部材とを含み得る。
2007535996.tif 000002
【特許請求の範囲】
【請求項１】
患者移送装置であって、
上部シートと、底部シートと、該上部及び底部シート間に延びる側部パネルとを有する膨張可能マットレスにして、底部シートが、下にある支持面に対する該マットレスの滑動を助長するため、該マットレス下に脱出空気のクッションを与えるように配置された複数の開口を含む該マットレスと、
膨張可能マットレスに取り付けられた第１部分と、該第１部分に取り付けられた第２部分とを含む少なくとも一つの側部牽引部材にして、第２部分にかけられた引っ張り力が、上部及び底部シートから実質的に等距離となる位置で第１部分に伝えられるようにされる該側部牽引部材とを備えた患者移送装置。
【請求項２】
前記側部牽引部材は実質的にＴ字形であり、該側部牽引部材の第１部分は、膨張可能マットレスの側部パネルの一方に取り付けられて、該マットレスの実質的に上部シート及び底部シート間において該側部パネルの面に沿って延びる請求項１に従う患者移送装置。
【請求項３】
前記側部牽引部材の第１部分は、該マットレスに取り付けられた両端部を有し、該第１部分はループを形成し、該ループの両端部はそれぞれ、側部パネルの一方と上部シートとの間の交差部と、側部パネルの該一方と底部シートとの間の交差部とに隣接配置される請求項１に従う患者移送装置。
【請求項４】
前記側部牽引部材の少なくとも一つは、側部パネルの関連する一方に取り付けられ、かつ、該マットレスの実質的に上部及び底部シート間に延びる取付けストリップを含み、牽引部材の第１部分の端部は、前記取付けストリップに取り付けられる請求項３に従う患者移送装置。
【請求項５】
使用者による前記側部牽引部材の握り関与を助長するため、側部牽引部材の少なくとも一つに固定された握り部を更に含む請求項１に従う患者移送装置。
【請求項６】
前記側部牽引部材の第２部分は細長いストラップを含み、前記握り部は、側部牽引部材の第１部分とは反対側の該細長いストラップの終端部に配置される請求項５に従う患者移送装置。
【請求項７】
前記側部牽引部材の第２部分は一組の細長いストラップを含み、該細長いストラップ各々は、該ストラップの端部で側部牽引部材の第１部分に連結される請求項１に従う患者移送装置。
【請求項８】
前記側部牽引部材の第１部分は、膨張可能マットレスの側部パネルの一方に取り付けられ、該マットレスの実質的に上部シートと底部シートの間で該側部パネルの表面に沿って延びる請求項７に従う患者移送装置。
【請求項９】
前記側部牽引部材の第１部分は、該第１部分がループを形成するように該マットレスに取り付けられる両端部を有する請求項７に従う患者移送装置。
【請求項１０】
前記側部牽引部材は、第１及び第２部分を有する取付け機構を含み、該第１及び第２部分は、これらの間で解除可能な係合のために適合され、該取付け機構の第１及び第２部分は、第２部分の前記一組の細長いストラップにより保持され、前記一組の細長いストラップの互いに対する解除可能アタッチメントを与える請求項７に従う患者移送装置。
【請求項１１】
前記側部牽引部材の第１部分は、クリップによる係合のために適合されるループを形成する連結ラグを含み、側部牽引部材の第２部分は、側部牽引部材の第１及び第２部分間の解除可能アタッチメントのためのクリップを有する請求項１に従う患者移送装置。
【請求項１２】
前記側部牽引部材の第１部分は、該マットレスの側部パネルの一方に固定される取付け部材を含み、前記連結ラグは、該取付け部材に固定される請求項１１に従う患者移送装置。
【請求項１３】
前記少なくとも一つの側部牽引部材は、該マットレスの両側に配置された少なくとも一組の側部牽引部材を含み、該装置は、底部シートに固定されて各一組の側部牽引部材間の底部シートの表面にわたって延びる細長い連結ストリップを更に含む請求項１に従う患者移送装置。
【請求項１４】
患者移送装置であって、
上部シートと、底部シートと、該上部及び底部シート間に延びる側部パネルとを有する膨張可能マットレスにして、底部シートが、下にある支持面に対する該マットレスの滑動を助長するため、該マットレス下に脱出空気のクッションを与えるように配置された複数の開口を含む該マットレスと、
該マットレスに取り付けられる両端部を有する第１部分を含み、該第１部分がループを形成するようにされる少なくとも一つの側部牽引部材にして、該第１部分に端部が取り付けられる細長い第２部分を含む該側部牽引部材とを備えた患者移送装置。
【請求項１５】
患者移送装置であって、
上部シートと、底部シートと、該上部及び底部シート間に延びる側部パネルとを有する膨張可能マットレスにして、底部シートが、下にある支持面に対する該マットレスの滑動を助長するため、該マットレス下に脱出空気のクッションを与えるように配置された複数の開口を含む該マットレスと、
該マットレスに取り付けられる少なくとも一つの側部牽引ストラップにして、該マットレスの上部シート及び底部シートから実質的に等距離の位置で側部牽引ストラップの端部が該マットレスに取り付けられる該側部牽引ストラップとを備えた患者移送装置。
【請求項１６】
前記側部パネルの一方に固定されて該マットレスの上部及び底部シート間を該側部パネルの面に沿って延びる、前記少なくとも一つの側部牽引ストラップそれぞれのための取付けストリップを更に備え、前記側部牽引ストラップは該取付けストリップに取り付けられる請求項１４に従う患者移送装置。
【請求項１７】
前記少なくとも一つの側部牽引ストラップは、該マットレスの両側に配置された一組の側部牽引ストラップを含み、該側部牽引ストラップ各々は端部で取付けストラップに固定され、該装置は、底部シートに固定され、かつ該一組の側部牽引ストラップと関連した取付けストリップ間を底部シートの表面にわたって延びる細長い連結ストリップを更に備える請求項１６に従う患者移送装置。
【発明の詳細な説明】
【技術分野】
【０００１】
関連出願に対する相互参照
この出願は、２００４年５月６日付け出願の仮出願６０／５６８，５６０号の優先権を主張する。
【０００２】
発明の分野
本発明は、空気膨張式患者移送マットレスに関する。
【背景技術】
【０００３】
患者移送マットレスは、上部シート及び底部シート間に形成される一又は複数の膨張可能室を含む。底部シートは、マットレス下に脱出空気のクッションを作り出す小さい開口のパターンを含み、このクッションは、マットレスと支持面との間の摩擦を低減し、そのため、マットレスの滑り運動を助長する。米国特許第５，５６１，８７３号は、この種の患者移送マットレスを開示している。
【０００４】
これらの移送マットレスは、マットレスを支持面に沿って滑らせるため、又はマットレスを支持面から持ち上げるために看護師又は他の介護者が握る、マットレスの側部に固定された二以上のループ状の持上げハンドルを通常含む。２００２年１１月１４日付けにて米国公開第２００２／０１６６１６８号として発行された米国特許出願第１０／１４３，１３９号は、マットレスの上部及び底部シートに隣接して両端部が該マットレスにそれぞれ固定されたループ状持上げストラップを有する患者移送マットレスを開示している。
【特許文献１】米国特許第５，５６１，８７３号明細書
【特許文献２】米国特許公開第２００２／０１６６１６８号明細書
【発明の開示】
【発明が解決しようとする課題】
【０００５】
患者移送マットレスは、検査台等の一の支持面から車輪付き担架等の第２の支持面へと患者を滑らせるために使用される。マットレスを滑らせるために引っ張り力が適用されるので、典型的な移送状況では、看護師が自分自身を、第２の支持面が自分と第１の面上の患者との間に置かれるように位置させる必要がある。この看護師は、そのため、マットレスを自分の方の第２支持面上へと引き寄せるべく、持上げハンドルを握るために第２支持面上に手を伸ばさなければならない。しかしながら、支持面を横切って手を伸ばすことは、看護師をぎこちなく背が曲がり過ぎる姿勢にする。背が曲がり過ぎた姿勢でハンドルを引くと、背骨圧縮力を引き起こし、これは、やがて深刻な背部（腰部）障害に至り得る。
【課題を解決するための手段】
【０００６】
本発明によれば、患者移送装置は、膨張可能マットレスと、少なくとも一つの側部牽引部材とを備える。側部牽引部材は、好ましくは、介護者が、直立姿勢で立ちながら、マットレスから離れた位置からマットレスを引くことを可能にする細長い部分を含む。
【０００７】
本発明の一側面によれば、側部牽引部材は、膨張可能マットレスに取り付けられる第１部分と、第１部分に取り付けられる第２部分とを含み、第２部分にかけられた引っ張り力が、第１部分における上部及び底部シートから実質的に等距離の位置に伝達されるようにされる。この態様の構成により、側部牽引部材に適用される引っ張り力は、マットレスの上部及び底部シートに実質的に均等に分配され、これにより、マットレス上に支持された患者の回転不安定性を低減する。
【０００８】
本発明の一実施形態によれば、側部牽引部材は実質的にＴ形状である。該Ｔ形側部牽引部材の第１部分は、側部パネルの一方に取り付けられ、マットレスの実質的に上部及び底部シート間において側部パネルの表面に沿って延びる。
【０００９】
本発明の一実施形態によれば、側部牽引部材の第１部分は、第１部分がループを形成するようにマットレスに取り付けられる両端部を有する。該ループは、マットレスと介護者間の離隔が短い場合の随意的な持上げ又は引っ張りに対処する。
【００１０】
本発明の一実施形態によれば、本装置は、使用者による側部牽引部材の握り係合を助長するため、少なくとも一つの側部牽引部材に固定される握り部を更に含む。
【００１１】
本発明の一実施形態によれば、側部牽引部材は一組の細長いストラップを含む。該ストラップの組は、該組に互いに解除（解放）可能なアタッチメントを与える取付け機構を有し得る。この構成は、例えば車輪付き担架等の支持部材に対する該移送装置の解除可能な取付け（アタッチメント）を助長する。
【００１２】
一実施形態によれば、側部牽引部材の第１部分は、クリップによる係合のために適合されたループを形成する連結ラグを含む。側部牽引部材の第２部分は、側部牽引部材の第１部分と第２部分間の解除可能な取付けのためのクリップを有する。
【００１３】
本発明の一実施形態によれば、該移送装置は、マットレスの底部シートに固定されて両側に配置された側部牽引部材間に延びる細長い連結ストリップを更に含む。両牽引部材間に延びる長手材料は、介護者によるマットレスに対するわずかな上向き力の適用を助長し、中央から外れた態様で支持された患者に関連する患者の回転不安定性を補う。
【発明を実施するための最良の形態】
【００１４】
同様の参照番号が同様の構成要素を特定する図面を参照して、図１及び２は、本発明に従う患者移送マットレス１０を示す。後により詳しく説明するように、本発明は、患者を支持する移送マットレスに引っ張り力を与える看護師又は他の介護者が背骨の圧縮を低減して該マットレスを滑動させることを助長する。本発明はまた、マットレスに対する引っ張り力の分散適用を提供することにより、また、中央から外れた患者を補うため、マットレスに対するわずかな上向き力の適用を助長することにより、患者の安定性を増進する。
【００１５】
患者移送マットレスは、上部シート１２及び底部シート１３を含む。マットレスはまた、上部及び底部シート１２、１３間に、横方向室１６及び縦方向側部室１８を含む複数の膨張可能室を含む。継ぎ目２０は、横方向室１６と縦方向側部室１８との間の変わり目に形成される。底部シート１３は、マットレスの滑り移動を助長するため、マットレス１０の下に空気のクッションを作り出すための複数の穴を含む。ホース２４は、マットレス１０の膨張可能室内に空気を送るため、入口２２に接続される。膨張可能マットレスの内部室のための適切な構成は、米国特許第５，５６１，８７３号により詳しく記載されている。
【００１６】
移送マットレス１０はまた、マットレス１０の上面にわたるフレキシブルな担架等の付属品（図示せず）の取付けのために配置された複数の留め具１４を含む。留め具１４及びこれらに取り付けるための種々の付属品は、同時係属の米国特許出願第１０／１４３，１３９号（２００２年１１月１４日に米国刊行物第２００２／０１６６１６８Ａ１として発行された）により詳しく記載されている。
【００１７】
移送マットレス１０はまた、シート１２上に支持された患者を留めるため、マットレス１０の両側部パネル２６に固定された細長い患者拘束ストラップ２８を含む。図示のように、マットレス１０の一側部に配置されたストラップ２８はバックルを含み、該バックルは、マットレスの他側部からのストラップ２８を受け入れる。各患者拘束ストラップ２８は、移送マットレス１０の上部にわたるストラップ２８の装着を助長するため、上部シート１２に隣接する関連した側部パネル２６に固定される。しかしながら、移送マットレスが拘束ストラップを含むことは、本発明の必要条件ではない。また、患者を移送マットレスに固定するための牽引ストラップの随意的使用に対して、より詳しく後述するように該牽引ストラップを適合させることは、本発明の範囲内である。
【００１８】
患者の滑り移送を助長するため、移送マットレス１０は、マットレスの各側部に牽引ストラップ３０を含む。各牽引ストラップ３０は、実質的にＴ字形であり、第１及び第２部分３２、３４を含む。第１部分３２は、移送マットレス１０の側部パネル２６の一方に固定され、上部及び底部シート１２、１３間に延びる。牽引ストラップ３０の第２部分３４は、端部３６で第１部分３２の中間点に固定され、端部３６は、図２に示すように、実質的に上部及び底部シート１２、１３間の中間部に配置されるようにされる。好ましくは、牽引ストラップ３０は、ナイロン織等の帯紐織物材料から成り、また、側部パネル２６に第１部分３２を縫い付けることにより、マットレス１０に取り付けられる。
【００１９】
好ましくは、長手（長い）材料の３８が、図１に破線で示すように底部シート１３に縫い付けらるか、又は、上部シート１２に又は上部及び底部両シート１２、１３に縫い付けられて、両牽引ストラップ３０間に延在し得る。該長手材料３８の包含は、牽引ストラップ３０を補強し、牽引ストラップ３０の摩耗損傷を制限する役割を果たす。このようにされなければ、牽引ストラップ３０は、引き裂きを受けやすいか、又は、移送マットレス１０から分離するかもしれない。移送マットレス１０を横断して延びる長手材料３８はまた、移送マットレス１０に対する牽引ストラップ３０にかけられる引っ張り力を分散させる役割を果たし、均一な滑り運動及び患者の安定性を助長し、この点は更に詳しく後述する。
【００２０】
牽引ストラップ３０の存在は、介護者が、マットレス１０の関連する側部から少し離れて細長い第２部分３４を握ることを可能にする。介護者がマットレス１０から離れて置かれる必要性は、患者が検査台等の第１支持面からマットレス１０と介護者との間の第２支持面（車輪付き担架等）上へと移動させられることとなる場合によくある。側部パネル２６から離れて牽引ストラップ３０を把持する機能は、移送マットレス１０を第１支持面から中間第２支持面へと引っ張るために、介護者が快適で実質的に直立の姿勢をとることを可能にする。このような、直立姿勢は、介護者が、例えば、マットレスの側部のループ状取っ手部を握るために中間第２支持面に対して腰をかがめる必要がある場合に介護者の背中かかる負担に比べて、介護者の負担を著しく低減する。
【００２１】
牽引ストラップ３０の第２部分３４の長さは、介護者が、移送マットレス１０の側部から変更可能な距離を隔てて牽引ストラップ３０に関与することを可能にする。これは、異なる幅の中間支持面上への特定の介護者によるマットレス１０の滑り移送を助長する。これはまた、腕の長さが異なる複数の介護者によるマットレス１０の使用を容易にする。
【００２２】
牽引ストラップ３０の構成は、移送マットレス１０の側部に対する均衡のとれた引っ張り力の適用を提供する。上部及び底部シート１２、１３間の第２部分端部３６の中央にされた位置は、上部及び底部シート１２、１３が共に動くことを保証することにより、移送マットレス１０の滑り移動中、支持された患者の回転による不安定性を望ましく制限する。図３を参照すれば、引っ張り力の中央集中適用が、マットレスのスライド運動に与える影響が概略的に示される。図３にＰ1として定義した分散引っ張り力は、上部及び底部シート１２、１３に均等に適用され、上部及び底部シート１２、１３が共に動くマットレス１０の均一なスライド運動をもたらす。これは図３に破線で示される。
【００２３】
図４を参照すれば、上部シート１２近傍への全引っ張り力の適用が移送マットレスに与えるであろう望ましくない影響が概略的に示される。図３に示す牽引ストラップ負荷とは対比して、図４においてマットレスにかけられた力は、上部及び底部シート１２、１３間に均等に分散されず、その代わりに上部シート１２に最初に適用される。その結果、上部シートは、説明を容易にするために誇張した形態で破線により示すように、底部シートの前に最初に動く傾向にある。突然の態様で生じるであろう底部シート１３のその後の運動は、マットレス１０上に支持された患者に不快感な動きを与え得、患者をマットレス１０から転げ落としがちである。
【００２４】
マットレス１０の底部、上部、又はその両方にわたって延びる長手材料３８は、マットレス１０にかかる力を牽引ストラップ３０を通じて分散させることにより、牽引ストラップ３０の引き裂きタイプの損傷を制限するのに役立つ。しかしながら、長手材料３８はまた、患者がマットレスの頂上に位置がずれた状態で支持されている該マットレスの膨張に関連した患者の不安定性に対処する有益な手段を提供する。時々、移送マットレスの膨張前に、支持された患者がマットレスの中央線に対して整列した状態に置かれているか否かを確認することは難しい。患者がマットレス上に中央から外れた態様で置かれる場合、マットレスの膨張は、マットレスの一方の側を他方の側よりも速い割合で膨張させる。マットレスのこの不均一な膨張は、患者に対する非水平支持面を作り出し、これは、患者をマットレスから転がり落としがちなくさびのように作用する。マットレス膨張中の患者安定性は、太った又は病的に太った患者を巻き込む手順中、特別な問題である。
【００２５】
以前は、マットレス膨張中に中央から外れた患者を確認した介護者は、移送マットレスを収縮させ、患者を再配置し、次いでマットレスを再度膨張させる必要があった。しかしながら、長手材料３８によって与えられる追加の支持は、患者を転がす傾向がある上述したくさび要因を補うため、介護者が、牽引ストラップ３０を通じてマットレス１０に軽い上向き力を与えることを可能にする。このような中央から外れた移送時に牽引ストラップ３０に加えられる該上向き力は、該患者の重量に比べて小さいであろうことに留意すべきである。従って、牽引ストラップに適用されている該上向き力は、非水平膨張が作り出す回転とは反対に作用する患者の補償回転を単に与える。牽引ストラップ３０に適用された上向き力は、患者に対して十分な支持を与えるという意味の持上げ力ではないであろう。その代わりに、移送工程中ずっと、患者はマットレスに支持されたままであり、空気のクッションは膨張したマットレス下に置かれたままである。
【００２６】
図５〜７は、マットレスの両側部各々に牽引ストラップ４２、４４を含む患者移送マットレス４０を示す。各牽引ストラップ４２、４４は、牽引ストラップ３０の第１部分３２に類似の第１部分４６を含み、第１部分４６は側部パネル２６に固定され、上部及び底部シート１２、１３間に延びる。各牽引ストラップ４２、４４はまた、上部及び底部シート１２、１３に隣接する側部パネル２６の両端部に固定されたループ状の第２部分４８を含む。ループ状第２部分４８は、介護者がマットレス４０の側部付近に立つ状況時に、移送マットレス１０の滑り運動を促進する、介護者による把持用のハンドルを形成する。
【００２７】
牽引ストラップ４２は細長い第３部分５０を含み、第３部分５０は端部で、ループ状第２部分４８の両端間の実質的に中間部に固定される。牽引ストラップ３０の第２部分３４と同様に、牽引ストラップ４２の細長い第３部分５０は、例えば、患者を中間支持面へと移送するために、介護者が、マットレスからより離れて移送マットレス４０の側部に牽引力をかけることを可能にする。
【００２８】
図５の移送マットレス４０に対する各牽引ストラップ４２は、介護者による牽引ストラップ４２の握り関与を助長するため、第３部分５０の終端部に形成された握り部５２を更に含む。好ましくは、握り部５２は、牽引ストラップ４２の終端部上に成形されるプラスチック材料から成る。
【００２９】
各牽引ストラップ４４は、ループ状第２部分４８の両端間の実質的に中間部に固定される細長い第３及び第４部分５４、５６を含む。第３及び第４部分５４、５６は実質的に長さが等しく、これは、介護者が移送マットレス４０の側部に牽引力を適用するため、部分５４、５６を個々に又は一組として把持することができるようにするためである。図５に示すように、バックル等の取付部材５８、６０は、移送マットレスを例えば車輪付き担架等の支持部材に取り付ける牽引ストラップ４４の使用のため、第３及び第４部分５４、５６の終端部に固定される。第３及び第４部分５４、５６を互いに留めるどのような適切な手段も使用され得る。取付部材５８、６０が除去され得ること、また、代わりに、第３及び第４部分５４、５６を結び付けることにより該部分５４、５６が共に留められ得ることも考えられる。
【００３０】
図６に示す移送マットレス４０は、図５の移送マットレスと実質的に類似する。しかしながら、図６の移送マットレス４０は、牽引ストラップ４２の終端部分に握り部を含んでいない。また、図６の移送マットレス４０は長手材料６２を含み、長手材料６２は、図示のように底部シート１３に固定されるか、又は、上部シート１２に、又は上部又は底部両シート１２、１３に固定され、両ストラップ４２、４４間に延びる。
【００３１】
図７の移送マットレス４０は、底部シート１３に取り付けられてマットレスの両側部間に延びる長手材料を含まない点を除き、図６の移送マットレスに実質的に類似する。
【００３２】
図８を参照して、本発明に従う移送マットレス６４が示され、該マットレスはその側部に固定された牽引ストラップ６６を有する。各牽引ストラップ６６は、移送マットレス１０の側部パネル２６に固定され、上部及び底部シート１２、１３間に延びる第１部分６８を含む。各牽引ストラップ６６はまた、上部及び底部シート１２、１３間の実質的に中間部で第１部分６８に固定された細長い第２及び第３部分７０、７２を含む。牽引ストラップ６６の細長い第２及び第３部分７０、７２は、例えば、患者を中間支持面へと移送するために、マットレスから少し離れた位置の介護者によって把持され得る。
【００３３】
図８に示すように、第２及び第３部分７０、７２は、両牽引ストラップ６６の第２部分７０がこれらの端部で一緒になって互いに固定され得る程十分に長い。この態様での使用では、牽引ストラップ６６の第２部分７０は、患者をマットレス６４に固定するために用いられ得る。牽引ストラップの細長い第３部分７２は、依然として結び付けられていないままであり得、これにより、移送マットレス６４から少し離れた位置の介護者によって握られ得る。患者を固定するための牽引ストラップ６６の第２部分７０の随意的使用は、図１のマットレス１０に含まれるストラップ２８等の患者拘束ストラップの排除を与える。
【００３４】
図８において、第２部分７０の端部は共に結ばれて示される。しかしながら、第２部分７０の端部は、該端部を共に固定するための例えばバックル等の取付け手段を有し得ることが理解されるべきである。
【００３５】
本発明は、新規に作られたマットレスへの組込みに限定されず、また、牽引ストラップを既存のマットレスに付加することにより、既存の移送マットレスに後付け操作で適用され得る点が理解されるべきである。
【００３６】
各牽引ストラップは、移送マットレスの側部パネル２６に取り付けられて図示される。上述したように、牽引ストラップは、好ましくは、牽引ストラップを縫い付けることによって移送マットレスに固定される。しかしながら、本発明は移送マットレスに恒久的に固定される牽引ストラップに限定されない点が理解されるべきである。牽引ストラップと移送マットレスとの間に解除可能なアタッチメントを与えるように牽引ストラップを適合させることは本発明の範囲内である。例えば、図９を参照して、本発明に従う牽引ストラップ７８は、側部パネルに例えば縫合により固定されて移送マットレスの上部及び底部シート１２、１３間に延びる第１部分８０を含む。連結ラグ８２が、上部及び底部シート１２、１３間の実質的に中間部の第１部分に固定される。牽引ストラップ７８は、例えば牽引ストラップ３０の第２部分３４に類似の態様で、移送マットレスから離れた位置する介護者が握るための細長い第２部分８４を更に含む。解除可能固定ストラップに使用される部材のような解除可能クリップ部材８６が、第１部分８０の連結ラグ８２に対する第２部分８４の取付けのために、第２部分８４の一端部に固定される。
【００３７】
以上は、実施可能な記述が利用できる本発明による好ましい実施形態の観点から本発明を説明したが、それにもかかわらず、現時点では予期できないものを含む本発明の実体のない変更は、それでもなお本発明との均等物を意味し得る。
【図面の簡単な説明】
【００３８】
【図１】本発明の実施形態に従う患者移送マットレスの斜視図である。
【図２】図１の線２−２に沿う移送マットレスの部分断面図である。
【図３】本発明の牽引ストラップによって適用された均衡した力の部分断面図である。
【図４】移送マットレスの上部シート付近に適用された引っ張り力を図３と対比した部分断面図である。
【図５】握り部として使用するためのループ状ストラップ部分を含む、本発明に従う患者移送マットレスの斜視図である。
【図６】握り部として使用するためのループ状ストラップ部分を含む、本発明に従う患者移送マットレスの斜視図である。
【図７】握り部として使用するためのループ状ストラップ部分を含む、本発明に従う患者移送マットレスの斜視図である。
【図８】患者の拘束のために適合された側部牽引ストラップを有する、本発明に従う患者移送マットレスの斜視図である。
【図９】移送マットレスに解除可能に取り付けることができる、本発明に従う患者移送マットレスのための牽引ストラップの部分斜視図である。
【符号の説明】
【００３９】
１０  患者移送マットレス
１２  上部シート
１３  底部シート
１４  留め具
１６  横方向室
１８  縦方向側部室
２０  継ぎ目
２２  入口
２４  ホース
２６  側部パネル
２８  患者拘束ストラップ
３０、４２、４４、６６、７８  牽引ストラップ
３２、４６、６８、８０  第１部分
３４、４８、７０、８４  第２部分
３６  （第２部分の）端部
３８  長手材料
８０  連結ラグ
【図１】
2007535996.tif 000003
【図２】
2007535996.tif 000004
【図３】
2007535996.tif 000005
【図４】
2007535996.tif 000006
【図５】
2007535996.tif 000007
【図６】
2007535996.tif 000008
【図７】
2007535996.tif 000009
【図８】
2007535996.tif 000010
【図９】
2007535996.tif 000011
【国際調査報告】
2007535996.tif 000012